(57)【要約】【要  約】【課  題】    即湯のための補助熱源として、電気ヒータなどを採用すると、電気の消費量が多くなり、電気料金などのランニングコストが上昇する点である。【解決手段】  冷暖房給湯システムは、室内機（６）と室外機（１）とを冷媒配管で接続してなるヒートポンプ式空気調和装置と、シスターンタンク（４１）、循環ポンプ（３９）、室外機からの冷媒と温水暖房用の循環水とを熱交換する冷媒対循環水熱交換器（３１）、及び循環水が流れる循環流路（３４，３７）を有し、冷媒対循環水熱交換器で加熱された温水暖房用の循環水を床暖房パネル（８）等の暖房端末へ循環供給する温水ユニット（１２）と、給湯栓（１６）へ給湯用配管（１７）を介して給湯する給湯器（２）と、温水ユニットの運転中に、温水ユニットで加熱された温水暖房用の循環水によって、給湯栓近くにおける給湯用配管の湯水を加熱保温する即湯機能部とを備えている。【選択図】  図２
2005147527.tif 000002
【特許請求の範囲】
【請求項１】
室内機と室外機とを冷媒配管で接続してなるヒートポンプ式空気調和装置と、
シスターンタンク、循環ポンプ、前記ヒートポンプ式空気調和装置の室外機からの冷媒と温水暖房用の循環水とを熱交換する冷媒対循環水熱交換器、及び循環水が流れる循環流路を有し、この冷媒対循環水熱交換器で加熱された温水暖房用の循環水を床暖房パネル等の暖房端末へ循環供給する温水ユニットと、
給湯栓等の利用部へ給湯用配管を介して給湯する給湯器と、
前記温水ユニットの運転中に、この温水ユニットで加熱された温水暖房用の循環水によって、前記利用部近くにおける給湯器の給湯用配管の湯水を加熱保温する即湯機能部とを備えたことを特徴とする冷暖房給湯システム。
【請求項２】
前記即湯機能部が、前記温水ユニットのシスターンタンク内に設けられた即湯用熱交換器と、前記利用部近くの給湯用配管を流れる湯水を前記即湯用熱交換器へ経由させて再び給湯用配管へ戻す即湯用流路と、前記即湯用熱交換器をバイパスする直接給湯流路と、前記給湯器からの湯水の流れを前記即湯用流路か或いは直接給湯流路へ切り換える流路切換手段と、この流路切換手段を切り換え制御する制御手段とから構成されていることを特徴とする請求項１記載の冷暖房給湯システム。
【請求項３】
前記即湯機能部が、前記冷媒対循環水熱交換器よりも下流の循環流路から分岐して設けられ、その分岐した先の途中に前記給湯用配管の湯水と熱交換する即湯用熱交換部を有し、かつ、前記冷媒対循環水熱交換器よりも上流の循環流路の中間部に合流する即湯用加熱流路と、この即湯用加熱流路の流れを制御する即湯用加熱流路制御弁と、前記即湯用加熱流路の循環水で加熱保温された給湯用配管の湯水の温度を検出する温度センサと、即湯時には、前記温度センサの検出温度に基づいて、前記即湯用加熱流路制御弁を制御する制御手段とから構成されていることを特徴とする請求項１記載の冷暖房給湯システム。
【請求項４】
前記温水ユニットが、洗面台や台所流し台などの水栓付き家具に内蔵されていることを特徴とする請求項１記載の冷暖房給湯システム。
【請求項５】
前記室内機による冷房運転を指示する冷房スイッチと、即湯スイッチと、前記冷房スイッチから冷房運転が指示されると、前記室外機を冷房運転モードにし、かつ、前記即湯スイッチがＯＮになると、前記室外機を暖房運転モードにする制御手段とを備え、
前記制御手段は、前記冷房スイッチからの冷房運転指示および即湯スイッチのＯＮの両者が行われた際には、先に操作された側のスイッチの作動にしたがって、前記室外機を冷房運転モードまたは暖房運転モードにすることを特徴とする請求項１〜４の何れか１項記載の冷暖房給湯システム。
【発明の詳細な説明】
【技術分野】
【０００１】
本発明は、室内機による冷暖房、床暖房パネルなどの暖房端末による暖房および給湯を行うことができる冷暖房給湯システムに関する。
【背景技術】
【０００２】
従来の冷暖房給湯システムでは、室内機による冷暖房や暖房端末による暖房を行う冷暖房システムと、給湯器から給湯栓へ湯水を供給する給湯システムとは別個に設置され、互いに関連付けられてはいない。
そして、従来の給湯システムでは、屋外などに設置された給湯器から長い配管を介して、洗面台や台所流し台などの水栓付き家具に湯水が供給され、この湯水は水道管からの水と混合されて適温になって、湯水混合栓である給湯栓から吐出されている。しかしながら、たとえば朝などのように、給湯栓が長時間閉じられた状態の場合には、給湯栓が開けられた最初の間は、給湯器と給湯栓との間の長い配管に溜まった冷たい水が給湯栓から吐出される。そのため、適温の湯水を即座に使用することはできなかった。
【０００３】
そこで、たとえば特許文献１に記載されているように、水栓付き家具内に、電気ヒータなどの補助熱源を設け、給湯栓に供給される湯水を加熱して、給湯栓を開けると即座に適温の湯水を吐出すること（すなわち、即湯）ができるように構成されているものがある。
しかしながら、即湯ための補助熱源として、電気ヒータなどを採用すると、電気の消費量が多くなり、電気料金などのランニングコストが上昇する。また、温水床暖房パネルなどの暖房端末に暖房用循環水を供給する温水ユニットを、水栓付き家具内に設置する際に、即湯用の電気ヒータやその電気配線などが支障になり、温水ユニットの設置が難しくなるなどの不具合が発生する。
【特許文献１】特開平５−２０３１７０号公報
【発明の開示】
【発明が解決しようとする課題】
【０００４】
解決しようとする問題点は、即湯ための補助熱源として、電気ヒータなどを採用すると、電気の消費量が多くなり、電気料金などのランニングコストが上昇する点である。また、電気ヒータなどの補助熱源が、暖房端末に暖房用循環水を供給する温水ユニットの設置の支障になる点である。
【課題を解決するための手段】
【０００５】
本出願の請求項１記載の冷暖房給湯システムは、室内機（６）と室外機（１）とを冷媒配管で接続してなるヒートポンプ式空気調和装置と、シスターンタンク（４１）、循環ポンプ（３９）、前記ヒートポンプ式空気調和装置の室外機からの冷媒と温水暖房用の循環水とを熱交換する冷媒対循環水熱交換器（３１）、及び循環水が流れる循環流路（３４，３７）を有し、この冷媒対循環水熱交換器で加熱された温水暖房用の循環水を床暖房パネル（８）等の暖房端末へ循環供給する温水ユニット（１２）と、給湯栓（１６）等の利用部へ給湯用配管（１７）を介して給湯する給湯器（２）と、前記温水ユニットの運転中に、この温水ユニットで加熱された温水暖房用の循環水によって、前記利用部近くにおける給湯器の給湯用配管の湯水を加熱保温する即湯機能部とを備えている。
【０００６】
請求項２記載の冷暖房給湯システムは、請求項１記載の冷暖房給湯システムにおいて、前記即湯機能部が、前記温水ユニットのシスターンタンク内に設けられた即湯用熱交換器（４２）と、前記利用部近くの給湯用配管を流れる湯水を前記即湯用熱交換器へ経由させて再び給湯用配管へ戻す即湯用流路（５１）と、前記即湯用熱交換器をバイパスする直接給湯流路（５２）と、前記給湯器からの湯水の流れを前記即湯用流路（５１）か或いは直接給湯流路へ切り換える流路切換手段（５４）と、この流路切換手段を切り換え制御する制御手段（５６）とから構成されていることを特徴としている。
【０００７】
請求項３記載の冷暖房給湯システムは、請求項１記載の冷暖房給湯システムにおいて、前記即湯機能部が、前記冷媒対循環水熱交換器よりも下流の循環流路（７３）から分岐して設けられ、その分岐した先の途中に前記給湯用配管の湯水と熱交換する即湯用熱交換部（７１ｂ）を有し、かつ、前記冷媒対循環水熱交換器よりも上流の循環流路（７４）の中間部に合流する即湯用加熱流路（７１）と、この即湯用加熱流路の流れを制御する即湯用加熱流路制御弁（７６）と、前記即湯用加熱流路の循環水で加熱保温された給湯用配管の湯水の温度を検出する温度センサ（ＴＨ５）と、即湯時には、前記温度センサの検出温度に基づいて、前記即湯用加熱流路制御弁を制御する制御手段とから構成されていることを特徴としている。
【０００８】
請求項４記載の冷暖房給湯システムは、請求項１記載の冷暖房給湯システムにおいて、前記温水ユニットが、洗面台（７）や台所流し台などの水栓付き家具に内蔵されていることを特徴としている。
【０００９】
請求項５記載の冷暖房給湯システムは、請求項１〜４の何れか１項記載の冷暖房給湯システムにおいて、前記室内機による冷房運転を指示する冷房スイッチと、即湯スイッチ（６１）と、前記冷房スイッチから冷房運転が指示されると、前記室外機を冷房運転モードにし、かつ、前記即湯スイッチがＯＮになると、前記室外機を暖房運転モードにする制御手段とを備え、前記制御手段は、前記冷房スイッチからの冷房運転指示および即湯スイッチのＯＮの両者が行われた際には、先に操作された側のスイッチの作動にしたがって、前記室外機を冷房運転モードまたは暖房運転モードにすることを特徴としている。
【発明の効果】
【００１０】
本発明によれば、即湯の際に、ヒートポンプ式の室外機からの冷媒で湯水を加熱しているので、電気ヒータなどの加熱に比して、電気料金などのランニングコストを低くすることができる。しかも、床暖房パネルなどの暖房端末に温かい循環水を供給する冷媒対循環水熱交換器を利用しているので、冷媒対循環水熱交換器などを具備する温水ユニットを設置するスペースを容易に確保することができる。
【００１１】
また、流路切換機構を作動させて即湯用流路から直接給湯流路に切り換える制御手段を備えているため、即湯機能が不要になった後に、暖房用循環水の熱が、給湯側に吸熱されたり、また逆に、給湯側の熱が暖房用循環水側に吸熱されたりすることを防止することができる。その結果、暖房や給湯を効率よく行うことができる。
【００１２】
そして、循環水で加熱された給湯用流路の水温に応じて、即湯用加熱流路制御弁を制御しているので、不必要に、即湯用加熱流路に暖房用循環水が流れることを防止することができる。したがって、室外機を長時間連続運転させる必要がなくなり、電力コストを削減することができる。
【００１３】
さらに、温水ユニット以外の即湯用の熱源（たとえば、電気ボイラーなどの補助熱源）を設置することが不要となるため、温水ユニットを、洗面台や台所流し台などの水栓付き家具に容易に内蔵することができる。
【００１４】
また、室外機の運転モードを頻繁に切り換えると、室外機の故障の原因となるが、請求項５記載の冷暖房給湯システムでは、冷房スイッチの冷房運転の指示および即湯スイッチのＯＮの両者が行われた際には、先に操作された側のスイッチの作動にしたがって、室外機を冷房運転モードまたは暖房運転モードにしているので、運転モードの頻繁な切り換えにより室外機が故障することを、極力防止することができる。たとえば、冷房運転モードの際に、即湯スイッチがＯＮされても、暖房運転モードに切り換わることはなく、運転モードの切り換えが頻繁に行われることを防止することができる。
【発明を実施するための最良の形態】
【００１５】
冷暖房給湯システムにおいて、電気料金などのランニングコストを軽減するとともに、暖房端末に暖房用循環水を供給する温水ユニットの設置を容易にするという目的を、ヒートポンプ式の室外機からの冷媒との熱交換により加熱された循環水が、給湯器と給湯栓などの利用部との間の配管内の湯水を加熱することで実現した。しかも、給湯器からの温水供給が開始すると、流路切換手段を作動させて、給湯器から給湯栓への流れを、即湯用熱交換器を経由する即湯用流路から、即湯用熱交換器をバイパスして給湯器からの湯水が給湯栓へ直接流れる直接給湯流路に切り換えることができるため、給湯器から温水が供給された後に、暖房側の熱が給湯側で吸熱されることを極力防止することができる。また、給湯器から給湯栓への給湯用流路を加熱する即湯用加熱流路における循環水の流れが、循環水で加熱された給湯用流路の水温に応じて、制御弁により適宜制御されており、給湯器と給湯栓との間の配管内の湯水を無駄に加熱することがなく、ランニングコストを逓減することができる。
【実施例１】
【００１６】
次に、本発明における冷暖房給湯システムの実施例１について、図１ないし図５を用いて説明する。図１は本発明における実施例の冷暖房給湯システムの概略図である。図２は図１の冷暖房給湯システムの概略の回路図である。図３は制御装置の入出力図である。図４は即湯の作動のフローチャートである。図５は室外機の冷媒回路図で、（ａ）が暖房運転モード時の状態の図、（ｂ）が冷房運転モード時の状態の図である。なお、図３において、制御装置の入出力は主要な部品のみが図示されており、これ以外の他の各種部品も制御装置に接続されている。
【００１７】
まず、始めに図１を用いて全体構成を説明する。図１において、室外機１および給湯器２は屋外に設置され、一方、空調用の室内機６、水栓付き家具としての洗面台７、暖房端末としての温水床暖房パネル８、メインリモコン９および床暖房コントローラ１１が屋内に設置される。室外機１と室内機６とは冷媒配管で接続され、ヒートポンプ式空気調和装置を構成している。そして、室外機１からの冷媒は、室内機６および、洗面台７内の温水ユニット１２に吐出されて再び室外機１に戻っており循環する。室外機１からの冷媒は、温水ユニット１２において暖房用循環水を加熱しており、この加熱された循環水が適宜床暖房パネル８に流れて、床暖房コントローラ１１で設定された室温となるように床暖房を行っている。
【００１８】
また、利用部としての洗面台７の給湯栓１６には、給湯器２からの給湯用配管１７および水道管１８が接続されている。この給湯栓１６はサーモバルブを内蔵しており、給湯器２からの湯水と水道管１８からの水とを適宜混合して使用者の設定温度にして給湯を行う。そして、給湯栓１６が長時間閉じられた状態では、給湯用配管１７内の湯水は放熱して温度が低下しており、給湯栓１６を開けた際に、給湯栓１６から吐出される水の温度が適温よりも低くなる。そこで、給湯栓１６を開けると、温水ユニット１２の循環水で加熱保温された水が給湯栓１６に供給されるように構成されており、略即座に適温の水が吐出される。
【００１９】
つぎに、より具体的な構成を説明する。
ヒートポンプ式の室外機１は、図５に図示する冷凍サイクルで構成されており、図５（ａ）の暖房運転モードと図５（ｂ）の冷房運転モードとに切り換えることができる。図５（ａ）の暖房運転モードでは、圧縮機２１は、ガス状の冷媒（たとえば、Ｒ４１０Ａ、Ｒ２２、ＣＯ2 など）を圧縮して高温の冷媒を生成し、この冷媒を四方切換弁２２を介して、第１冷媒口２３から外部に吐出し、室内機６や温水ユニット１２を巡った後に第２冷媒口２４に戻ってくる。第２冷媒口２４に戻ってきた冷媒は、減圧装置としての電磁式の膨張弁２６に流入する。そして、膨張弁２６で膨張して低温となった冷媒は、冷媒対空気熱交換器２７に流入する。この熱交換器２７において、冷媒は外気と熱交換して温められる。この温度の上昇した冷媒は四方切換弁２２を介して圧縮機２１に戻る。この様にして、暖房運転モードでは、室外機１は高い温度の冷媒を室内機６や温水ユニット１２などに供給することができる。
【００２０】
一方、図５（ｂ）の冷房運転モードでは、四方切換弁２２が切り換わっており、圧縮機２１から吐出されたガス状の冷媒は、四方切換弁２２を介して熱交換器２７に流入し、この熱交換器２７において、冷媒は外気と熱交換して冷却され、膨張弁２６に流入する。そして、膨張弁２６で膨張して低温となった冷媒は、第２冷媒口２４から外部に吐出し、室内機６を巡った後に第１冷媒口２３に戻る。第１冷媒口２３に戻ってきた冷媒は四方切換弁２２を介して圧縮機２１に戻る。この様にして、冷房運転モードでは、室外機１は低温の冷媒を室内機６などに供給することができる。そして、室外機１は、冷媒流路切換機構である四方切換弁２２を切り換えることにより、圧縮機２１からの冷媒が、温水ユニット１２などの暖房用端末、膨張弁２６、熱交換器２７の順に流れて再び圧縮機２１に戻ってくる暖房運転モードと、圧縮機２１からの冷媒が、熱交換器２７、膨張弁２６、室内機６などの冷暖房用端末の順に流れて再び圧縮機２１に戻ってくる冷房運転モードとに切り換わることができる。
【００２１】
室内機６および温水ユニット１２は、室外機１の冷媒口２３，２４に並列に接続されている。温水ユニット１２には、冷媒対循環水熱交換器３１が設けられ、室外機１からの冷媒が流れる。この冷媒の温度を、温度センサーであるサーミスタＴＨ１が検出している。また、冷媒対循環水熱交換器３１には、冷媒との熱交換により加熱される暖房用循環水が流れる。そして、温水ユニット１２内には、冷媒対循環水熱交換器３１からの循環水が流れるとともに端部に暖房端末用の水出口３３が設けられている往き流路３４と、端部に暖房端末用の水戻り口３６が設けられているとともに冷媒対循環水熱交換器３１への循環水が流れる戻り流路３７と、往き流路３４と戻り流路３７とを接続するバイパス流路３８と、循環水を循環させる循環ポンプ３９とが設けられている。往き流路３４と戻り流路３７は循環流路を構成している。また、往き流路３４および戻り流路３７には各々サーミスタＴＨ２，ＴＨ３が設けられている。さらに、戻り流路３７には、所謂膨張タンクであるシスターンタンク４１が設けられている。このシスターンタンク４１内には加熱タンク４２が内蔵され、シスターンタンク４１内の循環水が熱交換により加熱タンク４２内の水を加熱保温する。この加熱タンク４２は即湯用熱交換器として機能している。
【００２２】
床暖房パネル８の配管の各端部は、温水ユニット１２の水出口３３および水戻り口３６に接続されており、水出口３３からの循環水は床暖房パネル８を循環した後に水戻り口３６に戻ってくる。床暖房パネル８と温水ユニット１２とを接続する配管には、熱動弁４６が設けられ、この熱動弁４６が床暖房パネル８の循環水の流れをＯＮ−ＯＦＦ制御する。温水ユニット１２の水出口３３および水戻り口３６は、床暖房パネル８が接続されてない際には、栓などで閉じられている。
【００２３】
そして、給湯用配管１７の配管途中には、給湯器２から給湯栓１６への流れを加熱タンク４２に迂回させる即湯用流路５１の両端部が接続されている。この即湯用流路５１は、給湯用配管１７から加熱タンク４２に向かう往き流路５１ａと、加熱タンク４２から給湯用配管１７に向かう戻り流路５１ｂとで構成されている。給湯用配管１７における往き流路５１ａの接続部と戻り流路５１ｂの接続部との間の配管が、直接給湯流路５２となっており、この直接給湯流路５２に、流れを即湯用流路５１側と直接給湯流路５２側とに切り換える流路切換手段である給湯水路切換弁５４が設けられている。この給湯水路切換弁５４は、電動式の開閉弁で構成されている。また、直接給湯流路５２の直ぐ上流側にはサーミスタＴＨ４が設けられ、即湯用流路５１に流れ込む水の温度を検出している。
【００２４】
そして、冷暖房給湯システムの制御手段である制御装置５６はマイコンなどで構成されている。この制御装置５６には種々の電気部品が接続されているが、主な電気部品としては、図３に図示するように、メインリモコン９、床暖房コントローラ１１および室外機１が入出力可能に接続されている。また、制御装置５６の入力側に温度センサである各種サーミスタＴＨ１〜ＴＨ４などが接続され、一方、出力側に、熱動弁４６、給湯水路切換弁５４および循環ポンプ３９などが接続されている。そして、制御装置５６にはタイマが内蔵されており、経過時間などを計測することができるとともに、制御用プログラムが記憶されている。さらに、制御装置５６には予め種々の設定値が設定される。
【００２５】
この様に構成されている実施の形態の冷暖房給湯システムは、床暖房、即湯および室内機の空調の動作を行うことができる。以下に、その各動作を説明する。
まず、床暖房の動作について説明する。
メインリモコン９の床暖房スイッチ５８を操作することにより、床暖房の発停信号がメインリモコン９から制御装置５６に出力される。また、このメインリモコン９により床暖房パネル８に供給する循環水の温度が設定される。そして、メインリモコン９から床暖房運転信号が制御装置５６に出力されると、制御装置５６は室外機１に暖房運転を指示する。そして、室外機１は図５（ａ）に図示する暖房運転モードになるとともに圧縮機２１が稼働して高温の冷媒を冷媒対循環水熱交換器３１に吐出する。この冷媒対循環水熱交換器３１において、冷媒との熱交換により循環水が加熱される。また、制御装置５６からの稼働信号により、循環ポンプ３９が稼働し、加熱された循環水が往き流路３４、床暖房パネル８および戻り流路３７を循環する。この様にして、加熱した循環水を床暖房パネル８に循環させることにより床暖房運転が行われる。この時、制御装置５６は、サーミスタＴＨ２の検出温度が、メインリモコン９に設定された設定温度（たとえば、４０〜６０℃）となるように、室外機１の運転出力を制御する。
【００２６】
そして、床暖房コントローラ１１は、内蔵している室温センサの検出した室温と、この床暖房コントローラ１１に設定されている設定室温とを比較し、その温度差に応じて熱動弁４６のＯＮ−ＯＦＦ周期を変更するＯＮ−ＯＦＦ周期可変信号を制御装置５６に出力する。制御装置５６はこの信号を受けて、熱動弁４６を開閉して床暖房パネル８への循環水を制御し、室温が設定室温となるようにしている。
【００２７】
次に、即湯の動作について、図４のフローチャートに基づいて説明する。
ステップ１において、メインリモコン９の即湯スイッチ６１がＯＮされると、メインリモコン９から制御装置５６に即湯作動信号が出力される。ステップ２において、制御装置５６はこの即湯作動信号を受けると、給湯水路切換弁５４に閉信号を、また、循環ポンプ３９に稼働信号を出力するとともに、室外機１に暖房運転を指示する。そして、室外機１は図５（ａ）に図示する暖房運転モードになるとともに圧縮機２１が稼働して高温の冷媒を冷媒対循環水熱交換器３１に吐出する。この冷媒対循環水熱交換器３１において、冷媒との熱交換により循環水が加熱される。また、制御装置５６からの稼働信号により、循環ポンプ３９が稼働し、加熱された循環水が往き流路３４、床暖房パネル８（または、熱動弁４６が閉じられている際にはバイパス流路３８）および戻り流路３７を循環する。この際に、戻り流路３７に設けられたシスターンタンク４１に加熱された循環水が流れ、この循環水により、シスターンタンク４１内に配置された加熱タンク４２の水が加熱保温される。また、制御装置５６は、サーミスタＴＨ２またはサーミスタＴＨ３の検出温度が、予め設定された設定温度となるように、室外機１の運転出力を制御する。
【００２８】
そして、ステップ３において、使用者が給湯栓１６を操作して給湯を行うと、給湯水路切換弁５４は閉じているため、加熱タンク４２内の加熱保温された湯水が給湯栓１６に到達して、この湯水と水道管１８からの水とが混合し、設定された適温の温水が略即座に吐出される。
【００２９】
時間の経過とともに、給湯用配管１７の冷めた水は加熱タンク４２を通って給湯栓１６に流れ、給湯器２からの湯水がサーミスタＴＨ４に達する。そして、ステップ４において、制御装置５６はサーミスタＴＨ４の検出温度が、予め設定されている切換設定温度になったか否かを判断しており、切換設定温度になったと判断すると、ステップ５において、給湯水路切換弁５４に開信号を出力して、給湯器２からの流れを即湯用流路５１から直接給湯流路５２に切り換えている。以降は、給湯器２からの湯水が給湯栓１６に供給される。
【００３０】
次に、室内機の空調の動作について説明する。
床暖房運転中および即湯運転中に、室内機６を運転すると、この室内機６から温風が吹き出し暖房が可能である。また、室内機６の冷房スイッチ（図示しない）が操作されて、室内機６が室外機１に冷房運転モードを指示した際には、室外機１は冷房運転となり、室外機１からの低温の冷媒が室内機６に循環する。そして、室内機６から冷風を吹き出して、冷房を行うことができる。しかしながら、室外機１は冷房運転モードまたは暖房運転モードの何れか一方の運転モードしかできないため、床暖房運転、即湯運転および室内機６による暖房運転は同時に行うことが可能であるが、床暖房運転や即湯運転と、室内機６による冷房運転とは同時に行うことができない。したがって、制御手段としての室外機１内のマイコンは、室内機６の冷房スイッチからの冷房運転モードの指示または、制御装置５６からの暖房運転モードの指示の何れか先に出力された方の運転モードに従って作動する。
【００３１】
この様にして、制御手段である制御装置５６は、即湯スイッチ６１がＯＮになると室外機１を暖房運転モードにするとともに、給湯器２からの流れを直接給湯流路５２から即湯用流路５１に切り換える手段、および、直接給湯流路５２に流れ込む水の温度を検出する温度センサであるサーミスタＴＨ４の検出温度が切換設定温度になると給湯器２からの流れを即湯用流路５１から直接給湯流路５２に切り換える手段などを具備している。
この様に、制御手段としての制御装置５６や室外機１内のマイコンなどは、上記手段以外にも、実行される各工程に対応して各工程を実行する手段を具備している。
【実施例２】
【００３２】
次に、本発明における冷暖房給湯システムの実施例２について図６を用いて説明する。図６は実施の第２の形態の冷暖房給湯システムの概略の回路図である。なお、この実施例２の説明において、前記実施例１の構成要素に対応する構成要素には同一符号を付して、その詳細な説明は省略する。
【００３３】
図６は、実施例１の図２に対応する図である。実施例２では、実施例１の加熱タンク４２、即湯用流路５１、給湯水路切換弁５４およびサーミスタＴＨ４が設けられておらず、その代わりに、冷媒対循環水熱交換器３１と床暖房パネル８との間を循環する循環流路から、即湯用加熱流路７１が分岐している。すなわち、冷媒対循環水熱交換器３１から床暖房パネル８への往き流路７３の中間部から、即湯用加熱流路７１の往き流路７１ａが分岐し、この往き流路７１ａの他端部は、給湯用流路を形成する給湯用配管１７の水と熱交換するための即湯用熱交換部７１ｂの端部に接続され、この即湯用熱交換部７１ｂの他端部に即湯用加熱流路７１の戻り流路７１ｃが接続されている。この戻り流路７１ｃの他端部は、床暖房パネル８から冷媒対循環水熱交換器３１への戻り流路７４の中間部に接続されている。したがって、冷媒対循環水熱交換器３１からの循環水は、往き流路７３を介して即湯用加熱流路７１の往き流路７１ａに流れ、即湯用熱交換部７１ｂで給湯用配管１７の湯水と熱交換した後に、即湯用加熱流路７１の戻り流路７１ｃを流れて、戻り流路７４を介して冷媒対循環水熱交換器３１に戻っている。この流れは、往き流路７１ａに設けられた制御弁７６で制御される。また、即湯用熱交換部７１ｂにおける給湯用配管１７の水の温度を検出するサーミスタＴＨ５が設けられている。
【００３４】
そして、サーミスタＴＨ５は制御装置５６の入力側に接続され、また、制御弁７６は制御装置５６の出力側に接続されている。そして、即湯スイッチ６１がＯＮされると、実施例１と同様にして、冷媒対循環水熱交換器３１において、循環水が室外機１からの冷媒との熱交換により加熱される。また、制御装置５６から制御弁７６に開信号が出力され、制御弁７６が開弁する。したがって、冷媒対循環水熱交換器３１で加熱された循環水は、循環ポンプ３９により、往き流路７３，７１ａ、即湯用熱交換部７１ｂ、戻り流路７１ｃ，７４を介して循環する。そして、即湯用熱交換部７１ｂの循環水が、給湯用配管１７内の水をたとえば約５０℃まで加熱保温する。この即湯用熱交換部７１ｂにおける給湯用配管１７の水の温度は、サーミスタＴＨ５で検出され、この検出温度が予め設定されている即湯加熱停止設定温度たとえば前述の５０℃になると、制御装置５６は制御弁７６を閉じるとともに、循環ポンプ３９を停止させる。そして、制御弁７６が閉じられると、即湯用熱交換部７１ｂは漸次自然放熱するので、予め設定されている所定時間（たとえば１時間）毎に、制御装置５６は制御弁７６を開けるとともに循環ポンプ３９を稼働させて、給湯用配管１７の水を加熱保温する。また、所定時間毎に加熱する代わりに、サーミスタＴＨ５の検出温度が、即湯加熱開始設定温度（たとえば前述の約５０℃よりも低い約３０℃）になると、制御装置５６は制御弁７６を開けるとともに、循環ポンプ３９を稼働させることも可能である。
【００３５】
上記、即湯スイッチ６１のＯＮは、手動で行うことも可能であるが、タイマ設定により、必要な時間帯（たとえば午前６時から午前９時まで、および、午後５時から午後１０時まで）のみ即湯機能を働かさせることも可能である。この様にすると、使い勝手を向上させることができる。
【００３６】
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
【００３７】
（１）制御手段は、冷暖房給湯システムの各種部品を制御することができるならば、温水ユニット１２の制御装置５６単体で構成することも可能であるし、また、室外機１、室内機６、メインリモコン９、床暖房コントローラ１１および床暖房パネル８などに設けられているマイコンなどと、制御装置５６が連動して制御するように構成することも可能である。
（２）実施例１の給湯水路切換弁５４は、電動式の開閉弁でも可能であるし、また、三方切換弁や熱動弁などで構成することも可能である。
（３）室内機６は必ずしも設ける必要はない。
（４）暖房端末は、床暖房パネル８以外のもの、たとえば、ヒートパネルや温風装置などでも可能である。
（５）サーミスタＴＨ１〜５の配置位置は適宜変更可能である。
（６）実施例２において、実施例１と同様に、サーミスタＴＨ４を給湯用配管１７に設け、即湯用熱交換部７１ｂへの給湯用配管１７の水の温度を検出し、この検出温度に基づいて冷暖房給湯システムを制御することも可能である。
（７）即湯用熱交換部７１ｂにおける給湯用配管１７の水の温度を検出するサーミスタＴＨ５を設けずに、サーミスタＴＨ２，３により、即湯用熱交換部７１ｂにおける給湯用配管１７の水の温度を推定して検出することも可能である。すなわち、即湯用熱交換部７１ｂからの冷めた循環水が戻り流路７４や往き流路７３に流入すると、サーミスタＴＨ２，３の検出温度が変動するので、このサーミスタＴＨ２，３の検出温度の変動により、即湯用熱交換部７１ｂにおける給湯用配管１７の水の温度を推定することができ、暖房用循環水を即湯用熱交換部７１ｂに流す時間を決定することができる。
【産業上の利用可能性】
【００３８】
室外機からの冷媒で加熱された循環水で、給湯器と給湯栓との間の湯水を加熱保温することにより、給湯栓を開けると即座に適温の湯水を使用することができるとともに、この循環水を床暖房パネルなどの暖房端末に使用することができる。したがって、洗面台や台所流し台などの水栓付き家具など、給湯栓を開けると即座に適温の湯水を使用する必要がある用途に適用できる。特に、この様な即湯とともに、床暖房などの暖房や室内機による冷暖房を行う必要がある用途に最適である。
【図面の簡単な説明】
【００３９】
【図１】図１は本発明における実施例の冷暖房給湯システムの概略図である。
【図２】図２は図１の冷暖房給湯システムの概略の回路図である。
【図３】図３は制御装置の入出力図である。
【図４】図４は即湯の作動のフローチャートである。
【図５】図５は室外機の冷媒回路図で、（ａ）が暖房運転モード時の状態の図、（ｂ）が冷房運転モード時の状態の図である。
【図６】図６は実施の第２の形態の冷暖房給湯システムの概略の回路図である。
【符号の説明】
【００４０】
ＴＨ５  サーミスタ（温度センサ）
１  室外機
２  給湯器
６  室内機
７  洗面台（水栓付き家具）
８  床暖房パネル（暖房端末）
１２  温水ユニット
１６  給湯栓（利用部）
１７  給湯用配管
３１  冷媒対循環水熱交換器
３４  往き流路（循環流路）
３７  戻り流路（循環流路）
３９  循環ポンプ
４１  シスターンタンク
４２  加熱タンク（即湯用熱交換器）
５１  即湯用流路
５２  直接給湯流路
５４  給湯水路切換弁（流路切換手段）
５６  制御装置（制御手段）
６１  即湯スイッチ
７１  即湯用加熱流路
７１ｂ  即湯用熱交換部
７３  往き流路（循環流路）
７４  戻り流路（循環流路）
７６  制御弁（即湯用加熱流路制御弁）
【図１】
2005147527.tif 000003
【図２】
2005147527.tif 000004
【図３】
2005147527.tif 000005
【図４】
2005147527.tif 000006
【図５】
2005147527.tif 000007
【図６】
2005147527.tif 000008